(57)【要約】【課題】光学部材間の接着強度を充分に保つとともに、光利用効率の低下を抑制することが可能な光学部材ユニット及びこの光学部材ユニットを備えた映像表示装置を提供する。【解決手段】光透過性の部材によって構成された導光部材１３０と、光透過性の部材によって構成された三角プリズム１５０と、導光部材１３０の光出射面１３２の外周部の一部分及び三角プリズム１５０の光入射面１５１の外周部の一部分に接着されるビーズ１６２と、導光部材１３０の光反射側面１３３の一部及び三角プリズム１５０の光反射側面１５３の一部に接着される接着面１６０ａを有する懸架部材１６０とを光学部材ユニットが備え、懸架部材１６０が、導光部材１３０の光反射側面１３３の一部を透過した光を反射する。【選択図】図４
2007292934.tif 000002
【特許請求の範囲】
【請求項１】
第１の光入射面、第１の光出射面及び第１の光反射側面を有しており、光透過性の部材によって構成された第１の光学部材と、
第２の光入射面、第２の光出射面及び第２の光反射側面を有しており、光透過性の部材によって構成された第２の光学部材と、
前記第１の光出射面の外周部の一部分及び前記第２の光入射面の外周部の一部分に接着されており、前記第１の光出射面と前記第２の光入射面との間に、前記第１の光学部材及び前記第２の光学部材よりも屈折率が小さい低屈折率領域を形成するための低屈折率領域形成部材と、
前記第１の光反射側面の一部及び前記第２の光反射側面の一部に接着される接着面を有しており、前記第１の光学部材と前記第２の光学部材とを懸架する懸架部材とを備え、
前記第１の光学部材及び前記第２の光学部材の少なくとも一方は、光入射方向と光出射方向とを異ならせる部材であり、
前記懸架部材は、前記第１の光反射側面の一部を透過した光を反射することを特徴とする光学部材ユニット。
【請求項２】
前記懸架部材は、ガラス又は透明樹脂によって構成されていることを特徴とする請求項１に記載の光学部材ユニット。
【請求項３】
前記懸架部材は、前記第１の光学部材及び前記第２の光学部材と同種の部材によって構成されていることを特徴とする請求項２に記載の光学部材ユニット。
【請求項４】
前記懸架部材の前記接着面は、前記第１の光反射側面及び前記第２の光反射側面を透過した光を反射するミラー面であることを特徴とする請求項１に記載の光学部材ユニット。
【請求項５】
前記第１の光学部材は、四角柱状の形状を有する導光部材であり、
前記第２の光学部材は、三角柱状の形状を有する三角プリズムであることを特徴とする請求項１に記載の光学部材ユニット。
【請求項６】
前記三角プリズムは、前記第２の光入射面から入射した光の進行方向を変えて、前記第２の光入射面から入射した光を前記第２の光出射面側に導く光反射斜面を有しており、
前記懸架部材は、前記接着面と平行な投影面上において、前記光反射斜面に沿った辺を有することを特徴とする請求項５に記載の光学部材ユニット。
【請求項７】
前記懸架部材は、前記接着面と平行な前記投影面上において、前記光反射斜面の法線に沿った辺を有することを特徴とする請求項６に記載の光学部材ユニット。
【請求項８】
請求項１乃至請求項７のいずれかに記載の光学部材ユニットを備えることを特徴とする映像表示装置。
【発明の詳細な説明】
【技術分野】
【０００１】
本発明は、光透過性の部材（例えば、ガラス）によって構成された複数の光学部材を有しており、各光学部材の間にエアギャップが設けられた光学部材ユニット及びこの光学部材ユニットを備えた映像表示装置に関する。
【背景技術】
【０００２】
従来、光透過性の部材（例えば、ガラス）によって構成された光学部材（以下、導光部材）と、光透過性の部材（例えば、ガラス）によって構成された光学部材（三角プリズム）とを有する光学部材ユニットが一般的に広く知られている。なお、三角プリズムは、光が入射する方向（入射方向）と光が出射する方向（出射方向）とを異ならせる光学部材である。
【０００３】
このように、入射方向と出射方向とを異ならせる三角プリズムと導光部材とを配置する方法としては、三角プリズムや導光部材よりも屈折率が小さいエアギャップを三角プリズムと導光部材との間に設ける方法が挙げられる（非特許文献１）。
【０００４】
この方法によれば、三角プリズムと導光部材との間にエアギャップを設けることによって、光の一部が全反射せずに三角プリズムなどを透過することに起因する光利用効率の低下や色ムラの発生を抑制することができる。
【０００５】
ここで、上述したエアギャップを設ける方法として、ビーズをスペーサとして用いる方法が考えられる。具体的には、導光部材の光出射面の外周部の一部分と三角プリズムの光入射面の外周部の一部分とをビーズを含む接着剤で接着することによって、導光部材の光出射面と三角プリズムの光入射面との間にビーズによってエアギャップが形成される（例えば、特許文献１）。
【非特許文献１】“プロジェクタ豆知識”、［Ｏｎｌｉｎｅ］、［平成１８年３月１３日検索］、インターネット＜ｈｔｔｐ：／／ｗｗｗ．ｇｅｏｃｉｔｉｅｓ．ｃｏ．ｊｐ／Ｈｏｌｌｙｗｏｏｄ−Ｓｔｕｄｉｏ／７０５７／ｍａｍｅ１／ｍａｍｅ３．ｈｔｍ＞
【特許文献１】特開平１１−２３１２５６号公報（請求項１、〔００１０〕〜〔００１４〕、図２）
【発明の開示】
【発明が解決しようとする課題】
【０００６】
一方で、導光部材の光出射面及び三角プリズムの光入射面の全面が有効範囲である場合には、接着剤に含まれるビーズが光を散乱するため、光学部材ユニットの光利用効率が低下してしまう。
【０００７】
従って、ビーズを含む接着剤の量は少ない方が好ましいが、ビーズを含む接着剤の量を減らすと、導光部材と三角プリズムとの接着強度が低下してしまう。
【０００８】
そこで、本発明は、上述した課題を解決するためになされたものであり、光学部材間の接着強度を充分に保つとともに、光利用効率の低下を抑制することが可能な光学部材ユニット及びこの光学部材ユニットを備えた映像表示装置を提供することを目的とする。
【課題を解決するための手段】
【０００９】
本発明の一の特徴は、第１の光入射面（光入射面１３１）、第１の光出射面（光出射面１３２）及び第１の光反射側面（光反射側面１３３）を有しており、光透過性の部材によって構成された第１の光学部材（導光部材１３０）と、第２の光入射面（光入射面１５１）、第２の光出射面（光出射面１５２）及び第２の光反射側面（光反射側面１５３）を有しており、光透過性の部材によって構成された第２の光学部材（三角プリズム１５０）と、前記第１の光出射面の外周部の一部分及び前記第２の光入射面の外周部の一部分に接着されており、前記第１の光出射面と前記第２の光入射面との間に、前記第１の光学部材及び前記第２の光学部材よりも屈折率が小さい低屈折率領域（エアギャップ１６１）を形成するための低屈折率領域形成部材（ビーズ１６２）と、前記第１の光反射側面の一部及び前記第２の光反射側面の一部に接着される接着面（接着面１６０ａ）を有しており、前記第１の光学部材と前記第２の光学部材とを懸架する懸架部材（懸架部材１６０）とを光学部材ユニットが備え、前記第１の光学部材及び前記第２の光学部材の少なくとも一方が、光入射方向と光出射方向とを異ならせる部材であり、前記懸架部材が、前記第１の光反射側面の一部を透過した光を反射することを要旨とする。
【００１０】
かかる特徴によれば、懸架部材が、第１の光反射側面の一部及び第２の光反射側面の一部に接着されており、第１の光学部材と第２の光学部材とを懸架する。
【００１１】
従って、懸架部材が、第１の光学部材と第２の光学部材との接着強度を高めるため、第１の光出射面及び第２の光入射面に低屈折率領域形成部材を含む接着剤を設ける面積を小さくしても、第１の光学部材と第２の光学部材との接着強度が充分に保たれる。
【００１２】
このように、第１の光出射面及び第２の光入射面に低屈折率領域形成部材を含む接着剤を設ける面積を小さくすることができるため、接着剤に含まれる低屈折率領域形成部材によって生じる光利用効率の低下を抑制することができる。
【００１３】
また、懸架部材が、第１の光反射側面の一部を透過した光を反射することにより、第１の光学部材と第２の光学部材との接着強度の向上を図るために、懸架部材を設けた場合であっても、懸架部材によって生じる光利用効率の低下を抑制することができる。
【００１４】
本発明の一の特徴は、本発明の上述した特徴において、前記懸架部材が、ガラス又は透明樹脂によって構成されていることを要旨とする。
【００１５】
本発明の一の特徴は、本発明の上述した特徴において、前記懸架部材が、前記第１の光学部材及び前記第２の光学部材と同種の部材によって構成されていることを要旨とする。
【００１６】
本発明の一の特徴は、本発明の上述した特徴において、前記懸架部材の前記接着面が、前記第１の光反射側面及び前記第２の光反射側面を透過した光を反射するミラー面であることを要旨とする。
【００１７】
本発明の一の特徴は、本発明の上述した特徴において、前記第１の光学部材が、四角柱状の形状を有する導光部材であり、前記第２の光学部材が、三角柱状の形状を有する三角プリズムであることを要旨とする。
【００１８】
本発明の一の特徴は、本発明の上述した特徴において、前記三角プリズムが、前記第２の光入射面から入射した光の進行方向を変えて、前記第２の光入射面から入射した光を前記第２の光出射面側に導く光反射斜面（光反射側面１５３ｂ）を有しており、前記懸架部材が、前記接着面と平行な投影面上において、前記光反射斜面に沿った辺（辺１６０ｍ）を有することを要旨とする。
【００１９】
本発明の一の特徴は、本発明の上述した特徴において、前記懸架部材が、前記接着面と平行な前記投影面上において、前記光反射斜面の法線に沿った辺（辺１６０ｎ）を有することを要旨とする。
【００２０】
本発明の一の特徴は、映像表示装置が、上述した一の特徴を有する光学部材ユニットを備えることを要旨とする。
【発明の効果】
【００２１】
本発明によれば、光学部材間の接着強度を充分に保つとともに、光利用効率の低下を抑制することが可能な光学部材ユニット及びこの光学部材ユニットを備えた映像表示装置を提供することができる。
【発明を実施するための最良の形態】
【００２２】
以下において、本発明の実施形態について図面を参照しながら説明する。なお、以下の図面の記載において、同一又は類似の部分には、同一又は類似の符号を付している。
【００２３】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
［第１実施形態］
（映像表示装置）
【００２４】
以下において、本発明の第１実施形態に係る映像表示装置について、図面を参照しながら説明する。図１は、本発明の第１実施形態に係る映像表示装置１００を示す図である。
【００２５】
図１に示すように、映像表示装置１００は、投射レンズ１８０を有しており、投射レンズ１８０によって拡大される画像をスクリーン２００上に表示する。
【００２６】
なお、第１実施形態において、映像表示装置１００は、３板式のプロジェクタであるものとして説明するが、これに限定されるものではない。例えば、映像表示装置１００は、単板式のプロジェクタであってもよく、リアプロジェクションテレビであってもよい。また、映像表示装置１００は、カメラなどに用いられるビューファインダーであってもよい。
【００２７】
以下において、映像表示装置の構成について、図面を参照しながら説明する。図２は、本発明の第１実施形態に係る映像表示装置１００の構成を示す図である。なお、図２では、本発明に関連する構成のみが記載されており、他の光学部材（例えば、リレーレンズなど）などを映像表示装置１００が有していてもよいことは当然である。
【００２８】
図２に示すように、映像表示装置１００は、複数の光源１１０（光源１１０ｒ、光源１１０ｇ、光源１１０ｂ）と、複数のテーパーロッド１２０（テーパーロッド１２０ｒ、テーパーロッド１２０ｇ、テーパーロッド１２０ｂ）と、複数の導光部材１３０（導光部材１３０ｒ、導光部材１３０ｇ、導光部材１３０ｂ）と、複数の液晶パネル１４０（液晶パネル１４０ｒ、液晶パネル１４０ｇ、液晶パネル１４０ｂ）と、三角プリズム１５０と、ダイクロイックプリズム１７０と、投射レンズ１８０とを有する。
【００２９】
光源１１０ｒは、赤色の光を発する光源であり、複数の赤色ＬＥＤが配列された赤色ＬＥＤアレイ１１１ｒを有している。同様に、光源１１０ｇは、緑色の光を発する光源であり、複数の緑色ＬＥＤが配列された緑色ＬＥＤアレイ１１１ｇを有しており、光源１１０ｂは、青色の光を発する光源であり、複数の青色ＬＥＤが配列された青色ＬＥＤアレイ１１１ｂを有している。
【００３０】
テーパーロッド１２０ｒは、光入射面よりも光出射面の面積が大きいテーパ形状を有しており、光源１１０ｒが発する赤色の光をテーパーロッド１２０ｒの側面で反射する光学部材である。
【００３１】
同様に、テーパーロッド１２０ｇは、光入射面よりも光出射面の面積が大きいテーパ形状を有しており、光源１１０ｇが発する緑色の光をテーパーロッド１２０ｇの側面で反射する光学部材である。
【００３２】
さらに、テーパーロッド１２０ｂは、光入射面よりも光出射面の面積が大きいテーパ形状を有しており、光源１１０ｂが発する青色の光をテーパーロッド１２０ｂの側面で反射する光学部材である。
【００３３】
導光部材１３０ｒは、光透過性の部材によって構成されており、四角柱状の形状を有する中実の光学部材である。なお、光透過性の部材とは、例えば、アクリル樹脂やポリカーボネート樹脂などのような透明樹脂、ガラスなどである。また、四角柱状の形状とは、テーパ形状を含むことは勿論である。また、導光部材１３０ｒは、テーパーロッド１２０ｒの光出射面から出射された赤色の光を導光部材１３０ｒの側面（以下、光反射側面）で反射させて液晶パネル１４０ｒ側に導く光学部材である。
【００３４】
同様に、導光部材１３０ｇは、光透過性の部材によって構成されており、四角柱状の形状を有する中実の光学部材であり、テーパーロッド１２０ｇの光出射面から出射された緑色の光を導光部材１３０ｇの側面（以下、光反射側面）で反射させて液晶パネル１４０ｇ（三角プリズム１５０）側に導く光学部材である。なお、四角柱状の形状とは、テーパ形状を含むことは勿論である。
【００３５】
また、導光部材１３０ｂは、光透過性の部材によって構成されており、四角柱状の形状を有する中実の光学部材であり、テーパーロッド１２０ｂの光出射面から出射された青色の光を導光部材１３０ｂの側面（以下、光反射側面）で反射させて液晶パネル１４０ｂ側に導く光学部材である。なお、四角柱状の形状とは、テーパ形状を含むことは勿論である。
【００３６】
なお、導光部材１３０ｒ、導光部材１３０ｇ及び導光部材１３０ｂは同様の構成を有しているため、必要に応じてこれらを導光部材１３０と総称する。
【００３７】
液晶パネル１４０ｒは、駆動回路（不図示）からの映像信号に応じて、赤色の光を変調してダイクロイックプリズム１７０に出射する。同様に、液晶パネル１４０ｇは、駆動回路（不図示）からの映像信号に応じて、緑色の光を変調してダイクロイックプリズム１７０に出射し、液晶パネル１４０ｂは、駆動回路（不図示）からの映像信号に応じて、青色の光を変調してダイクロイックプリズム１７０に出射する。
【００３８】
三角プリズム１５０は、光透過性の部材によって構成されており、三角柱状の形状を有する中実の光学部材であり、導光部材１３０ｇの光出射面から出射された緑色の光の進行方向を変えて、液晶パネル１４０ｇ側に導く光学部材である。なお、三角プリズム１５０は、光源１１０ｇが発する緑色の光の進行方向を変えることによって、映像表示装置１００の小型化を図るために設けられている。
【００３９】
また、導光部材１３０ｇの光出射面と三角プリズム１５０の光入射面との間には、緑色の光の全反射が妨げられないように、エアギャップ１６１が設けられている。
【００４０】
また、導光部材１３０ｇの光反射側面の一部及び三角プリズム１５０の光反射側面の一部には、懸架部材１６０が接着されている。また、懸架部材１６０は、光透過性の部材によって構成された板状の形状を有しており、導光部材１３０ｇと三角プリズム１５０とを懸架している。
【００４１】
また、懸架部材１６０が、導光部材１３０及び三角プリズム１５０と同種の部材によって構成されている。
【００４２】
なお、第１実施形態において、「同種」とは、部材の種類が同じであることを意味している。例えば、導光部材１３０及び三角プリズム１５０が透明樹脂によって構成されている場合には、懸架部材１６０も透明樹脂によって構成されており、導光部材１３０及び三角プリズム１５０がガラスによって構成されている場合には、懸架部材１６０もガラスによって構成されている。また、導光部材１３０及び三角プリズム１５０の屈折率と懸架部材１６０の屈折率とは異なっていてもよい。
【００４３】
また、エアギャップ１６１の周辺構造（すなわち、光学部材ユニット）の詳細については後述する（図３及び図４を参照）。
【００４４】
ダイクロイックプリズム１７０は、液晶パネル１４０ｒからの赤色の光、液晶パネル１４０ｇからの緑色の光及び液晶パネル１４０ｂからの青色の光を合成する。具体的には、ダイクロイックプリズム１７０は、液晶パネル１４０ｒからの赤色の光及び液晶パネル１４０ｂからの青色の光を投射レンズ１８０側に反射する。一方で、ダイクロイックプリズム１７０は、液晶パネル１４０ｇからの緑色の光を透過する。
【００４５】
投射レンズ１８０は、液晶パネル１４０ｒ、液晶パネル１４０ｇ及び液晶パネル１４０ｂに表示された画像を拡大してスクリーン２００上に表示する。具体的には、投射レンズ１８０は、ダイクロイックプリズム１７０によって合成された光をスクリーン２００上に投射する。
（光学部材ユニット）
【００４６】
以下において、本発明の第１実施形態に係る光学部材ユニットについて、図面を参照しながら説明する。図３は、本発明の第１実施形態に係る光学部材ユニットを示す斜視図である。なお、第１実施形態において、光学部材ユニットとは、導光部材１３０と三角プリズム１５０と懸架部材１６０とによって構成されたユニットである。
【００４７】
図３に示すように、導光部材１３０は、光が入射する光入射面１３１と、光が出射する光出射面１３２と、光入射面１３１の外周の一辺から光出射面１３２の外周の一辺に亘って設けられた複数の光反射側面１３３（光反射側面１３３ａ〜光反射側面１３３ｄ）とを有している。また、光反射側面１３３は、光入射面１３１から入射した光を全反射させて光出射面１３２に導く。
【００４８】
三角プリズム１５０は、光が入射する光入射面１５１と、光が出射する光出射面１５２と、光入射面１５１の外周の一辺から光出射面１５２の外周の一辺に亘って設けられた複数の光反射側面１５３（光反射側面１５３ａ〜光反射側面１５３ｃ）とを有している。
【００４９】
ここで、光入射面１５１の面方向は、光出射面１５２の面方向と異なっている。すなわち、三角プリズム１５０は、光が入射する方向（光入射方向）と光が出射する方向（光出射方向）とを異ならせている。
【００５０】
また、光反射側面１５３は、光入射面１５１から入射した光を全反射させて光出射面１５２に導く。特に、光反射側面１５３ｂは、光入射面１５１から入射した光を全反射して、光入射方向と光出射方向とを異ならせる光反射斜面である。
【００５１】
懸架部材１６０は、光反射側面１３３の一部及び光反射側面１５３の一部に接着される接着面１６０ａを有しており、導光部材１３０ｇと三角プリズム１５０とを懸架している。
【００５２】
なお、第１実施形態において、懸架部材１６０は、光反射側面１３３ａの一部及び光反射側面１５３ａの一部に接着された第１の懸架部材と、光反射側面１３３ｃの一部及び光反射側面１５３ｃの一部に接着された第２の懸架部材とによって構成されている。
【００５３】
ここで、導光部材１３０の光出射面１３２と三角プリズム１５０の光入射面１５１との間には、導光部材１３０及び三角プリズム１５０よりも屈折率が低い領域、すなわち、エアギャップ１６１が設けられている。
【００５４】
具体的には、光出射面１３２の外周部の一部分及び光入射面１５１の外周部の一部分には、エアギャップ１６１の幅を確保するために、ビーズ１６２が接着剤１６３によって接着されている。このように、ビーズ１６２は、エアギャップ１６１を形成するための部材である。
【００５５】
なお、ビーズ１６２は、例えば、ホウケイ酸ガラスによって構成された球状の形状を有しており、約２０μｍ程度の直径を有している。また、接着剤１６３は、紫外線（ＵＶ）を照射することによって硬化する接着剤であり、硬化後の屈折率として約１．４〜１．５（２５℃）程度の屈折率を有している。さらに、ビーズ１６２は、接着剤１６３に予め含まれている。
【００５６】
また、ビーズ１６２を含む接着剤１６３は、光出射面１３２の外周部の四隅及び光入射面１５１の外周部の四隅に設けられていることが好ましい。
【００５７】
このように、導光部材１３０の光出射面１３２と三角プリズム１５０の光入射面１５１との間にエアギャップ１６１を設けることによって、導光部材１３０の光出射面１３２から出射された光の一部が全反射されずに、光利用効率が低下してしまうことを防止している。例えば、エアギャップ１６１を設けていないと、導光部材１３０の光出射面１３２から出射された後に、三角プリズム１５０の光反射側面１５３ｂで反射された光の一部が、大きな入射角度で導光部材１３０の光反射側面１３３に入射してしまう場合がある。このような場合には、全反射条件が満たされないため、導光部材１３０の光出射面１３２から出射された光の一部が導光部材１３０の光反射側面１３３を透過して、光利用効率が低下してしまう。
【００５８】
図４は、本発明の第１実施形態に係る光学部材ユニットの一例を示す図である。なお、図４は、光学部材ユニットを側方から見た図である。
【００５９】
図４に示すように、懸架部材１６０は、導光部材１３０と三角プリズム１５０とを懸架している。また、懸架部材１６０は、上述したように、光透過性の部材によって構成された板状の形状を有している。
【００６０】
ここで、懸架部材１６０は、導光部材１３０の光反射側面１３３ａの一部及び三角プリズム１５０の光反射側面１５３ａの一部に接着されている。また、懸架部材１６０は、大気よりも大きい屈折率、すなわち、導光部材１３０や三角プリズム１５０と同程度の屈折率を有している。
【００６１】
従って、図４に示すように、懸架部材１６０が接着された光反射側面１３３ａの一部では、光入射面１３１から入射した光が全反射されずに光反射側面１３３ａの一部を透過する。また、光反射側面１３３ａの一部を透過した光は、懸架部材１６０の反射面１６０ｂで全反射される。さらに、懸架部材１６０が接着された光反射側面１５３ａの一部では、懸架部材１６０の反射面１６０ｂで反射された光が全反射されずに光反射側面１５３ａの一部を透過する。
（作用及び効果）
【００６２】
本発明の第１実施形態に係る光学部材ユニットによれば、懸架部材１６０が、導光部材１３０の光反射側面１３３の一部及び三角プリズム１５０の光反射側面１５３の一部に接着されており、導光部材１３０と三角プリズム１５０とを懸架している。
【００６３】
従って、懸架部材１６０が、導光部材１３０と三角プリズム１５０との接着強度を高めるため、光出射面１３２及び光入射面１５１にビーズ１６２を含む接着剤１６３を設ける面積を小さくしても、導光部材１３０と三角プリズム１５０との接着強度が充分に保たれる。
【００６４】
このように、光反射側面１３３ａ及び光反射側面１５３ａにビーズ１６２を含む接着剤１６３を設ける面積を小さくすることができるため、接着剤１６３に含まれるビーズ１６２によって生じる光利用効率の低下を抑制することができる。
【００６５】
また、懸架部材１６０が光透過性の部材（透明樹脂やガラス）によって構成されていることにより、懸架部材１６０が接着された光反射側面１３３ａの一部を透過した光が懸架部材１６０の反射面１６０ｂで反射される。
【００６６】
従って、導光部材１３０と三角プリズム１５０との接着強度の向上を図るために、懸架部材１６０を設けた場合であっても、懸架部材１６０によって生じる光利用効率の低下を抑制することができる。
【００６７】
また、本発明の第１実施形態に係る光学部材ユニットによれば、懸架部材１６０が、導光部材１３０及び三角プリズム１５０と同種の部材によって構成されていることにより、導光部材１３０の光反射側面１３３ａの一部と懸架部材１６０との接着強度が高まり、三角プリズム１５０の光反射側面１５３ａの一部と懸架部材１６０との接着強度が高まる。
【００６８】
従って、懸架部材１６０が、導光部材１３０と三角プリズム１５０との接着強度をさらに高めるため、光反射側面１３３ａ及び光反射側面１５３ａにビーズ１６２を含む接着剤１６３を設ける面積をさらに小さくすることができる。
［第２実施形態］
【００６９】
以下において、本発明の第２実施形態について、図面を参照しながら説明する。なお、以下においては、上述した第１実施形態と第２実施形態との相違点について主として説明する。
【００７０】
具体的には、上述した第１実施形態に係る懸架部材１６０は、光透過性の部材によって構成されているため、導光部材１３０の光反射側面１３３ａを透過した光は、懸架部材１６０の反射面１６０ｂで全反射される。
【００７１】
これに対して、第２実施形態に係る懸架部材１６０では、接着面１６０ａは、光を反射するミラー面である。なお、第２実施形態では、接着面１６０ａがミラー面であるため、懸架部材１６０は、光透過性の部材によって構成されている必要は特になく、どのような部材によって構成されていてもよい。
【００７２】
図５は、本発明の第２実施形態に係る光学部材ユニットの一例を示す図である。なお、図５は、光学部材ユニットを側方から見た図である。
【００７３】
図５に示すように、懸架部材１６０は、導光部材１３０ｇと三角プリズム１５０とを懸架している。また、懸架部材１６０の接着面１６０ａは、光を反射するミラー面である。
【００７４】
ここで、懸架部材１６０は、上述した第１実施形態と同様に、導光部材１３０の光反射側面１３３ａの一部及び三角プリズム１５０の光反射側面１５３ａの一部に接着されている。従って、仮に接着面１６０ａがミラー面でない場合には、導光部材１３０の光反射側面１３３ａの一部では光が反射されない。
【００７５】
一方、図５に示すように、第２実施形態では、懸架部材１６０の接着面１６０ａがミラー面であるため、導光部材１３０の光反射側面１３３ａの一部でも光が反射される。
（作用及び効果）
【００７６】
本発明の第２実施形態に係る光学部材ユニットによれば、懸架部材１６０の接着面１６０ａがミラー面によって構成されていることにより、懸架部材１６０が接着される導光部材１３０の光反射側面１３３ａの一部でも光が反射される。
【００７７】
従って、導光部材１３０と三角プリズム１５０との接着強度の向上を図るために、懸架部材１６０を設けた場合であっても、懸架部材１６０によって生じる光利用効率の低下を抑制することができる。
［第３実施形態］
【００７８】
以下において、本発明の第３実施形態について、図面を参照しながら説明する。なお、以下においては、上述した第１実施形態と第３実施形態との相違点について主として説明する。
【００７９】
具体的には、上述した第１実施形態では、懸架部材１６０の外形については特に触れていないが、第３実施形態では、懸架部材１６０の外形について説明する。
（懸架部材の外形）
【００８０】
以下において、本発明の第３実施形態に係る懸架部材の外形について、図面を参照しながら説明する。図６は、本発明の第３実施形態に係る懸架部材１６０の外形のバリエーションを示す図である。なお、図６は、懸架部材１６０の接着面１６０ａと平行な投影面上における光学部材ユニットの形状を示す図である。
【００８１】
また、図６では、上述した第１実施形態と同様に、光学部材ユニットは、導光部材１３０と、三角プリズム１５０と、導光部材１３０及び三角プリズム１５０を懸架する懸架部材１６０とを有している。また、導光部材１３０の光出射面１３２と三角プリズム１５０の光入射面１５１との間にエアギャップ１６１が設けられている。
【００８２】
図６（ａ）に示すように、懸架部材１６０は、懸架部材１６０の接着面１６０ａと平行な投影面上において、長方形の形状を有しており、懸架部材１６０の一部は、三角プリズム１５０の光反射側面１５３ｂから三角プリズム１５０の外側にはみ出している。
【００８３】
このように、懸架部材１６０の一部が三角プリズム１５０の外側にはみ出しているため、三角プリズム１５０に接着される接着面１６０ａの面積が十分に確保される。一方で、光学部材ユニットを映像表示装置１００に組み込む工程で、懸架部材１６０の一部がその工程の妨げとなる場合がある。また、懸架部材１６０が破損する可能性もある。
【００８４】
図６（ｂ）に示すように、懸架部材１６０は、懸架部材１６０の接着面１６０ａと平行な投影面上において、長方形の形状を有しており、懸架部材１６０は、三角プリズム１５０の光反射側面１５３ｂから三角プリズム１５０の外側にはみ出さないように配置されている。
【００８５】
このように、懸架部材１６０が三角プリズム１５０の光反射側面１５３ｂから三角プリズム１５０の外側にはみ出さないように配置されているため、光学部材ユニットを映像表示装置１００に組み込む工程が容易となり、懸架部材１６０が破損する可能性も軽減される。一方で、三角プリズム１５０に接着される接着面１６０ａの面積が小さくなるため、三角プリズム１５０と懸架部材１６０との接着強度が低下する。
【００８６】
図６（ｃ）に示すように、懸架部材１６０は、懸架部材１６０の接着面１６０ａと平行な投影面上において、三角プリズム１５０の光反射側面１５３ｂ（光反射斜面）に沿った辺１６０ｍを有している。
【００８７】
なお、辺１６０ｍは、三角プリズム１５０の光反射側面１５３ｂに沿っていればよく、三角プリズム１５０の光反射側面１５３ｂと同一線上で重なっていなくてもよい。また、辺１６０ｍは、三角プリズム１５０の光反射側面１５３ｂと平行でなくてもよい。  
【００８８】
このように、懸架部材１６０が三角プリズム１５０の光反射側面１５３ｂ（光反射斜面）に沿った辺１６０ｍを有しているため、三角プリズム１５０に接着される接着面１６０ａの面積が十分に確保される。また、光学部材ユニットを映像表示装置１００に組み込む工程が容易となり、懸架部材１６０が破損する可能性も軽減される。
【００８９】
図６（ｄ）に示すように、懸架部材１６０は、懸架部材１６０の接着面１６０ａと平行な投影面上において、三角プリズム１５０の光反射側面１５３ｂ（光反射斜面）に沿った辺１６０ｍと、三角プリズム１５０の光反射側面１５３ｂ（光反射斜面）の法線ａに沿った辺１６０ｎとを有している。
【００９０】
従って、図６（ｄ）に示すように、三角プリズム１５０の光入射面１５１側及び光出射面１５２側に、エアギャップ１６１を介して複数の導光部材１３０をそれぞれ配置する場合であっても、各導光部材１３０と三角プリズム１５０とをそれぞれ懸架する複数の懸架部材１６０が干渉することがない。また、三角プリズム１５０に接着される接着面１６０ａの面積も十分に確保される。
【００９１】
なお、辺１６０ｎは、法線ａに沿っていればよく、法線ａと同一線上で重なっていなくてもよい。また、辺１６０ｎは、法線ａと平行でなくてもよい。
【００９２】
さらに、辺１６０ｍと辺１６０ｎとが交わる部分は丸みを帯びていてもよい。また、懸架部材１６０は、辺１６０ｍと辺１６０ｎとが交わる角の近傍が取り除かれた形状であってもよい。
【００９３】
なお、法線ａは、懸架部材１６０の接着面１６０ａと平行な投影面上において、三角プリズム１５０の光反射側面１５３ｂ（光反射斜面）の略中央を通る線であることが好ましい。
【００９４】
上述したように、三角プリズム１５０と懸架部材１６０との接着強度及び光学部材ユニットを映像表示装置１００に組み込む工程の容易性などの観点から、懸架部材１６０が図６（ｃ）及び図６（ｄ）に示す形状を有していることが効果的である。特に、三角プリズム１５０の光入射面１５１側及び光出射面１５２側に複数の導光部材１３０を配置する場合には、懸架部材１６０が図６（ｄ）に示す形状を有していることが効果的である。
［その他の実施形態］
【００９５】
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００９６】
例えば、上述した実施形態では、導光部材１３０の光出射面１３２と三角プリズム１５０の光入射面１５１との間に設けられる低屈率折領域は、大気によって構成されるエアギャップ１６１であるものとして説明したが、これに限定されるものではない。
【００９７】
具体的には、低屈折率領域は、導光部材１３０及び三角プリズム１５０よりも屈折率が小さい光透過性部材をエアギャップ１６１に充填することによって構成されていてもよい。
【００９８】
なお、導光部材１３０及び三角プリズム１５０よりも屈折率が小さい光透過性部材としては、アクリル樹脂やポリカーボネート樹脂などの透明樹脂、低屈折率接着剤などが挙げられる。
【００９９】
このように、導光部材１３０及び三角プリズム１５０よりも屈折率が小さい光透過性部材をエアギャップ１６１に充填することによって低屈折率領域を構成することにより、導光部材１３０の光出射面１３２と三角プリズム１５０の光入射面１５１との間に、ゴミなどの不純物が入り込むことを防止することができる。
【０１００】
また、導光部材１３０及び三角プリズム１５０よりも屈折率が小さい光透過性部材として低屈折率接着剤を用いれば、導光部材１３０と三角プリズム１５０との接着強度をさらに高めることができる。
【０１０１】
さらに、上述した実施形態では、エアギャップ１６１は、導光部材１３０の光出射面１３２と三角プリズム１５０の光入射面１５１との間に設けられているが、これに限定されるものではない。具体的には、エアギャップは、三角プリズムの光出射面と導光部材の光入射面との間に設けられていてもよい。
【０１０２】
また、上述した実施形態では、光学部材ユニットは、導光部材１３０と三角プリズム１５０とによって構成されているが、これに限定されるものではない。具体的には、光学部材ユニットは、三角プリズムと三角プリズムとによって構成されていてもよい。
【０１０３】
さらに、上述した実施形態では、光学部材ユニットは、光源１１０ｇが発する緑色の光の進行方向を変える光学部材を有するが、これに限定されるものではなく、光源１１０ｒが発する赤色の光の進行方向を変える光学部材を有していてもよく、光源１１０ｂが発する青色の光の進行方向を変える光学部材を有していてもよい。さらに、光学部材ユニットは、複数色の光が混じり合った光の進行方向を変える光学部材を有していてよく、補色（例えば、黄色）の光の進行方向を変える光学部材を有していてもよい。
【０１０４】
また、上述した実施形態では、光変調素子として液晶パネル１４０を用いたが、これに限定されるものではなく、ＤＭＤ（Digital  Micro  Mirror  Device）や反射型液晶パネルを光変調素子として用いてもよい。
【０１０５】
さらに、上述した実施形態では、導光部材１３０は、四角柱状の形状であるが、これに限定されるものではなく、円柱状の形状や多角柱状の形状などであってもよい。同様に、上述した実施形態では、導光部材１３０は、三角柱状の形状であるが、これに限定されるものではなく、円柱状の形状や多角柱状の形状などであってもよい。
【０１０６】
また、上述した第１実施形態では、懸架部材１６０が、導光部材１３０及び三角プリズム１５０と同種の部材によって構成されているが、これに限定されるものではなく、導光部材１３０及び三角プリズム１５０と異種の部材によって構成されていてもよい。
【０１０７】
さらに、上述した実施形態では、各光源１１０は、各色のＬＥＤアレイを有しているが、これに限定されるものではなく、各色のＬＥＤを単体で有していてもよい。
【０１０８】
また、上述した実施形態において、テーパーロッド１２０、導光部材１３０、三角プリズム１５０及び懸架部材１６０などの光学部材の稜線に面取り加工が施されていてもよい。
【０１０９】
さらに、上述した実施形態において、三角プリズム１５０は、光反射側面１５３ｂで光を全反射することによって、光の進行方向を変えているが、これに限定されるものではない。例えば、三角プリズム１５０は、光反射側面１５３ｂに蒸着されたアルミニウムをミラー面として有する構成を有していてもよい。
【図面の簡単な説明】
【０１１０】
【図１】本発明の第１実施形態に係る映像表示装置１００を示す図である。
【図２】本発明の第１実施形態に係る映像表示装置１００の構成を示す図である。
【図３】本発明の第１実施形態に係る光学部材ユニットを示す斜視図である。
【図４】本発明の第１実施形態に係る光学部材ユニットの一例を示す図である。
【図５】本発明の第２実施形態に係る光学部材ユニットの一例を示す図である。
【図６】本発明の第３実施形態に係る懸架部材１６０の外形のバリエーションを示す図である。
【符号の説明】
【０１１１】
１００・・・映像表示装置、１１０・・・光源、１１１・・・ＬＥＤアレイ、１２０・・・テーパーロッド、１３０・・・導光部材、１３１・・・光入射面、１３２・・・光出射面、１３３・・・光反射側面、１４０・・・液晶パネル、１５０・・・三角プリズム、１５１・・・光入射面、１５２・・・光出射面、１５３・・・光反射側面、１６０・・・懸架部材、１６０ａ・・・接着面、１６０ｂ・・・反射面、１６１・・・エアギャップ、１６２・・・ビーズ、１６３・・・接着剤、１７０・・・ダイクロックプリズム、１８０・・・投射レンズ、２００・・・スクリーン
【図１】
2007292934.tif 000003
【図２】
2007292934.tif 000004
【図３】
2007292934.tif 000005
【図４】
2007292934.tif 000006
【図５】
2007292934.tif 000007
【図６】
2007292934.tif 000008